(57)【要約】【課題】所定のテンポに基づく動作を、身体の所定部分に伝えることが可能なテンポ可変式作動装置を提供することを目的とする。【解決手段】テンポ可変式作動装置１０は、複数のテンポを生成する生成手段１１と、その生成手段１１で生成される複数のテンポの中からある１つのテンポを選択する選択手段１２と、選択手段で選択されるテンポに基づいて、所定方向に伸縮する伸縮手段１４と、選択手段１２で選択されるテンポに基づいて、振動する振動手段１５と、選択手段１２で選択されるテンポに基づいて、所定の音又は楽曲を発生する発生手段１６と、選択手段１２で選択されるテンポに基づいて、所定の映像又は光を表示する表示手段１７と、所定の波動を発生する波動発生手段１８と、所定の流体を発生し、噴射する流体発生手段１９とを備えて構成される。【選択図】  図１
2004226797.tif 000002
【特許請求の範囲】
【請求項１】
複数のテンポを生成する生成手段と、
前記生成手段で生成される所定の複数のテンポの中から１つのテンポを選択するための選択手段と、
前記選択手段で選択されたテンポに基づいて、所定の動作を行う動作手段と、
を備えることを特徴とするテンポ可変式作動装置。
【請求項２】
請求項１に記載のテンポ可変式作動装置であって、
前記動作手段は、身体の所定部分に前記所定の動作を伝えることを特徴とするテンポ可変式作動装置。
【請求項３】
請求項１に記載のテンポ可変式作動装置であって、
前記生成手段は、２９と所定の整数との積に等しい数のテンポを生成することを特徴とするテンポ可変式作動装置。
【請求項４】
請求項１に記載のテンポ可変式作動装置であって、
前記動作手段は、所定方向に伸縮する伸縮手段を備え、
前記選択手段で選択されたテンポに基づいて前記伸縮手段を伸縮させることを特徴とするテンポ可変式作動装置。
【請求項５】
請求項１に記載のテンポ可変式作動装置であって、
前記動作手段は、所定のテンポで振動する振動手段を備え、
前記選択手段で選択されたテンポに基づいて、前記振動手段を振動させることを特徴とするテンポ可変式作動装置。
【請求項６】
請求項１に記載のテンポ可変式作動装置であって、
前記動作手段は、所定方向に伸縮する第１及び第２の伸縮手段を備え、
前記選択手段で選択されたテンポに基づいて、前記第１及び第２の伸縮手段を交互に伸縮させることを特徴とするテンポ可変式作動装置。
【請求項７】
請求項１に記載のテンポ可変式作動装置であって、
前記動作手段は、所定のテンポで振動する第１及び第２の振動手段を備え、
前記選択手段で選択されたテンポに基づいて、前記第１及び第２の振動手段を交互に振動させることを特徴とするテンポ可変式作動装置。
【請求項８】
請求項１に記載のテンポ可変式作動装置であって、
前記動作手段は、所定の音又は楽曲を発生する発生手段を備え、
前記選択手段で選択されたテンポに基づく音又は楽曲を、前記発生手段から発生させることを特徴とするテンポ可変式作動装置。
【請求項９】
請求項１に記載のテンポ可変式作動装置であって、
前記動作手段は、所定の映像又は光を表示する表示手段を備え、
前記選択手段で選択されたテンポに基づく映像又は光を前記表示手段に表示させることを特徴とするテンポ可変式作動装置。
【発明の詳細な説明】
【０００１】
【発明の属する技術分野】
本発明は、あるテンポに基づいた所定の動作を、身体の所定部分に伝えることが可能なテンポ可変式作動装置に関する。
【０００２】
【従来の技術】
一般に、「テンポ（調子又は拍子）」とは、音楽用語の１つであり、演奏される曲の速さを示すためのものである。そして、例えば、「テンポ５８の速さ」ということは、１分間を同じ間隔で５８回刻むときのその刻まれる速さのことをいう。
【０００３】
ところで、近年、人の身体にとって基本となるテンポが存在することが分かり、そのテンポに基づいて、スポーツをすると、いい結果を残すことができたり、また、そのテンポに基づいて、仕事をすると、仕事の効率があがったりするが分かっている。（例えば、非特許文献１参照）
そして、そのような人の身体にとって良いとされるテンポは、例えば、「テンポ１１６」といわれており、人にとって基本的なテンポであると考えられている。
【０００４】
【非特許文献１】
片岡慎介著、「絶対テンポ１１６」、第１刷、株式会社ビジネス社、２００２年２月６日、ｐ１５２−１７９
【０００５】
【発明が解決しようとする課題】
しかしながら、このように、人の身体にとって良いとされるテンポの存在を認識していながら、まだ、このテンポを人の生活の中に取り入れる手段が存在していない。
【０００６】
そこで、本発明では、人の身体に良い影響を与える所定のテンポに基づく動作を、身体の所定部分に伝えることが可能なテンポ可変式作動装置を提供することを目的とする。
【０００７】
【課題を解決するための手段】
上記の課題を解決するために本発明では、以下のような構成を採用した。
すなわち、本発明のテンポ可変式作動装置は、複数のテンポを生成する生成手段と、該生成手段で生成される所定の複数のテンポの中から１つのテンポを選択するための選択手段と、該選択手段で選択されたテンポに基づいて、所定の動作を行う動作手段とを備えることを特徴とする。
【０００８】
また、上記テンポ可変式作動装置の動作手段は、身体の所定部分に上記所定の動作を伝えるように構成されることが望ましい。
これより、所定のテンポに基づく動作を人の身体の所定部分に伝えることができるので、例えば、人の身体に良いとされるテンポを予知又は感知して、身体を動かすことができる。そして、このように、人の身体にとって良いとされるテンポに基づいて様々な作業や運動を行うことができるので、仕事などの効率を上げることができたり、スポーツの成績を向上させることができる。
【０００９】
また、上記テンポ可変式作動装置の生成手段は、２９と所定の整数との積に等しい数のテンポを生成するように構成されることが望ましい。
これより、例えば、人の身体に良いとされている、例えば、２９と４との積に等しい「テンポ１１６」を生成することができ、その「テンポ１１６」を予知又は感知して、所定の動作を行うことができる。
【００１０】
また、上記テンポ可変式作動装置の動作手段は、所定方向に伸縮する伸縮手段を備え、上記選択手段で選択されたテンポに基づいて上記伸縮手段を伸縮させるように構成してもよい。
これより、例えば、人の身体の所定部分に、上記選択手段で選択されたテンポに基づいた上記伸縮手段の伸縮運動を伝えることができる。
【００１１】
また、上記テンポ可変式作動装置の動作手段は、所定のテンポで振動する振動手段を備え、上記選択手段で選択されたテンポに基づいて、上記振動手段を振動させるように構成してもよい。
これより、例えば、人の身体の所定部分に、上記選択手段で選択されたテンポに基づいた上記振動手段の振動運動を伝えることができる。
【００１２】
また、上記テンポ可変式作動装置の動作手段は、所定方向に伸縮する第１及び第２の伸縮手段を備え、上記選択手段で選択されたテンポに基づいて、上記第１及び第２の伸縮手段を交互に伸縮させるように構成してもよい。
これより、例えば、上記選択手段で選択されたテンポに基づいて、両足を交互に伸縮させることができる。
【００１３】
また、上記テンポ可変式作動装置の動作手段は、所定のテンポで振動する第１及び第２の振動手段を備え、前記選択手段で選択されたテンポに基づいて、前記第１及び第２の振動手段を交互に振動させるように構成してもよい。
これより、例えば、上記選択手段で選択されたテンポに基づいて、両腕を交互にマッサージすることができる。
【００１４】
また、上記テンポ可変式作動装置の動作手段は、所定の音又は楽曲を発生する発生手段を備え、上記選択手段で選択されたテンポに基づく音又は楽曲を、上記発生手段から発生させるように構成してもよい。
これより、人は、上記選択手段で選択されたテンポに基づく音又は楽曲を聞くことができる。
【００１５】
また、上記テンポ可変式作動装置の動作手段は、所定の映像又は光を表示する表示手段を備え、上記選択手段で選択されたテンポに基づく映像又は光を上記表示手段に表示させるように構成してもよい。
これより、人は、上記選択手段で選択されたテンポに基づく映像又は光を見ることができる。
【００１６】
【発明の実施の形態】
以下、本発明の実施形態を図面を用いて説明する。
図１は、本発明のテンポ可変式作動装置の構成を模式的に示す図である。
テンポ可変式作動装置１０は、複数のテンポを生成する生成手段１１と、その生成手段１１で生成される所定の複数のテンポの中からある１つのテンポを選択するための選択手段１２と、その選択手段１２で選択されるテンポに基づいて、所定の動作を行う動作手段１３とを備えて構成される。
【００１７】
また、上記動作手段１３は、選択手段１２で選択されるテンポに基づいて、所定方向に伸縮する伸縮手段１４と、選択手段１２で選択されるテンポに基づいて、振動する振動手段１５と、選択手段１２で選択されるテンポに基づいて、所定の音又は楽曲を発生する発生手段１６と、選択手段１２で選択されるテンポに基づいて、所定の映像を表示する表示手段１７と、所定の波動（例えば、光、アルファー波、イオン波、又は各種光線など）を発生する波動発生手段１８と、所定の流体（例えば、気体（酸素、マイナスイオンガス、炭酸ガス、蒸気など）、液体（温水など）、粒体（香料など））を発生し、噴射する流体発生手段１９とを備えて構成される。なお、流体発生手段１９は、例えば、人の身体などに酸素を吸入（流入）させるための酸素吸入機をして構成されるようにしてもよい。
【００１８】
また、上記生成手段１１は、人の身体や生物（動物や植物など）に良いとされるテンポとして、２９の所定整数倍の数に等しいテンポを生成するように構成され、その所定整数は、テンポ可変式作動装置１０を操作する人（以下、操作者という）が任意に設定することができるようにしている。そして、例えば、２９と４との積に等しいテンポに設定し、動作手段１３により、人の身体にとって良いとされる「テンポ１１６」を予知、感知、感受、伝授、又は伝導して様々な作業や運動を行うことができるので、スポーツ、学習、又は仕事など作業効率を上げることができ、良い結果を残すことが可能となる。
【００１９】
また、２９の所定整数倍の数に等しいテンポで様々な作業や運動を行うことにより、操作者は、「癒し」を得ることが可能となる。
また、２９の所定整数倍の数に等しいテンポで様々な作業や運動を行うことにより、操作者は、病気に対しての免疫力が上がったり、疲れにくくなるなどの効果を得ることが可能となる。
尚、上記伸縮手段１４又は上記振動手段１５は、例えば、電動式のプランジャやステッピングモータ等を利用して、所定方向に伸縮させたり、振動させたりしている。また、操作者は、選択手段１２において、自分に合うテンポを選択し、動作手段１３は、その選択されたテンポに基づく所定の動作を行う。これより、操作者は、自分に合うテンポで様々な作業や運動を行うことが可能となる。
【００２０】
また、選択手段１２は、２つ以上のテンポが選択されるように構成し、それら選択されたテンポに基づいて、動作手段１３が所定の動作を行うようにしてもよい。すなわち、例えば、選択手段１２により、「テンポ１１６」、「テンポ５６」、及び「テンポ２９」が選択された場合、動作手段１３は、それぞれのテンポに基づく動作を、所定の順番に、又はランダムに行うようにしてもよい。
【００２１】
また、生成手段１１は、所定のリズム（律動）を生成し、そのリズムに基づいて、所定のテンポを生成するように構成してもよい。この場合、動作手段１３は、その所定のリズムに基づく所定のテンポで所定の動作を行う。すなわち、例えば、動作手段１３は、発生手段１６において、生成されるリズムに基づいて、所定の音又は楽曲の強弱や長短を変えて発生させる。
【００２２】
また、生成手段１１は、インターネットなどの有線ネットワークや携帯電話などの無線ネットワークにおけるサーバ装置に備えられ、動作手段１３は、それらのネットワークにおけるクライアント装置（コンピュータなど）に備えられる構成としてもよい。この場合、例えば、クライアント装置としてのコンピュータからは所定のテンポに基づく音や光を発生させることができる。
【００２３】
＜第１の実施形態＞
図２は、本発明の一実施形態のテンポ可変式作動装置２０を示す図である。
図２（ａ）は、テンポ可変式作動装置２０を横から見た図であり、図２（ｂ）は、テンポ可変式作動装置２０を上から見た図である。
【００２４】
図２（ａ）及び（ｂ）に示すテンポ可変式作動装置２０は、操作者がベッドに横になった際、操作者の足元付近に設置されるように設けられ、伸縮手段１４として、交互に伸縮する伸縮器２１−１及び２１−２を備えている。尚、伸縮器２１−１及び２１−２は、例えば、電動式のプランジャ、油圧式のピストン、又は気圧式のピストンなどにより、所定方向に伸縮動作するものであって、それぞれの伸縮する長さは、操作者が任意に調整することが可能とする。
【００２５】
そして、伸縮器２１−１及び２１−２は、所定のテンポに基づいて、交互に伸縮運動する。
これより、例えば、操作者は、テンポ可変式作動装置２０が設置されるベッドに横になり、伸縮器２１−１及び２１−２に両足をつけることにより、所定のテンポで両足を交互に曲げたり伸ばしたりすることができる。
【００２６】
図２（ｃ）は、テンポ式作動装置２０の他の実施形態を示す図である。
図２（ｃ）に示すテンポ式作動装置２０は、伸縮器２１−１及び２１−２が所定のテンポに基づいて、回転軸２１−３を中心に所定の角度範囲内で回動する。この場合、伸縮器２１−１及び２１−２は、所定のテンポに基づいて、交互に回動させてもよいし、交互に回動させなくてもよい。
【００２７】
これより、例えば、操作者は、アキレス腱やふくろはぎなどを所定のテンポでマッサージすることができる。
図３は、テンポ可変式作動装置２０の動作を制御するためのコントローラを示す図である。
【００２８】
図３に示すコントローラ３０は、両足の伸縮運動回数、消費カロリー量、現在時刻、又は動作時間を表示する表示部３１と、伸縮器２１−１及び２１−２を毎分１１６回のテンポで動作させるためのボタン３２と、伸縮器２１−１及び２１−２を毎分５８回のテンポで動作させるためのボタン３３と、表示部３１に伸縮運動回数又は消費カロリー量のどちらか一方を選択し表示させるためのボタン３４と、動作時間をリセットするためのボタン３５と、テンポ可変式作動装置２０の電源のオン、オフを切り替えるためのボタン３６とを備えて構成されている。
【００２９】
これより、例えば、ベッドに寝ている人（操作者）は、伸縮器２０−１に右足をつけ、伸縮器２０−２に左足をつけ、コントローラ３０により、伸縮器２０が動作するテンポを、毎分１１６回のテンポか毎分５８回のテンポのどちらか一方のテンポに設定する。これより、寝ながらにして、「テンポ１１６」又は「テンポ５８」で両足を交互に曲げたり伸ばしたりする運動を行うことができる。
【００３０】
尚、テンポ可変式作動装置２０は、振動手段１５を備える構成としてもよい。
＜第２の実施形態＞
図４は、本発明の他の実施形態のテンポ可変式作動装置４０を示す図である。
図４（ａ）は、テンポ可変式作動装置４０を横から見た図であり、図４（ｂ）は、テンポ可変式作動装置４０を上から見た図である。
【００３１】
図４（ａ）及び（ｂ）に示すテンポ可変式作動装置４０は、例えば、スリッパの形、又は、靴やブーツの底に入るような大きさの形に形成されており、伸縮手段１４として、伸縮器４１−１、４１−２、及び４１−３と、足に装着することにより、テンポ可変式作動装置４０が足から外れないようにするためのベルト４２とを備えている。尚、伸縮器４１−１、４１−２及び４１−３は、例えば、電動式のプランジャ、油圧式ピストン、又は気圧式のピストンなどにより、所定方向に伸縮されるものであって、それぞれの伸縮する長さは、操作者が任意に調整することが可能とする。
【００３２】
テンポ可変式作動装置４０は、所定のテンポに基づいて、左右のそれぞれの伸縮器４１−１、４１−２、及び４１−３が交互に伸縮運動する。
そして、コントローラ３０により、伸縮器４１−１、４１−２、及び４１−３の動作も制御することができるように構成される。
【００３３】
例えば、操作者は、両足の裏にテンポ可変式作動装置４０がくるように、靴の底にテンポ可変式作動装置４０を敷き、足をベルト４２で固定する。そして、コントローラ３０で、伸縮器４１−１、４１−２、及び４１−３の動作テンポを、毎分１１６回のテンポか毎分５８回のテンポのどちらか一方のテンポに設定する。これより、操作者は、例えば、飛行機の中や仕事中など長時間座らなくてはならないときでも、座りながらにして、「テンポ１１６」又は「テンポ５８」で両足の裏（反射帯）を交互にマッサージすることができる。そして、このように両足の裏をマッサージすることによって、身体の血行を良くさせたり、病気に対する免疫力を上げることができる。
【００３４】
尚、テンポ可変式作動装置４０は、振動手段１５を備える構成としてもよい。
＜第３の実施形態＞
図５は、本発明の他の実施形態のテンポ可変式作動装置５０を示す図である。
図５（ａ）は、テンポ可変式作動装置５０を示す図であり、図５（ｂ）は、テンポ可変式作動装置５０の断面図である。
【００３５】
図５（ａ）及び（ｂ）に示すテンポ可変式作動装置５０は、８つの部材５１（５１−１〜５１−８）からなり、図５（ｂ）に示すように、各部材５１の断面は、台形となっている。また、図５（ｃ）に示すように、テンポ可変式作動装置５０は、筒状にまるめられ、机などに置き、図５（ｄ）に示すように、操作者の両腕を支えるための腕枕として使用されるものである。
【００３６】
また、テンポ可変式作動装置５０は、振動手段１５として、振動器５２−１及び５１−２を備えている。また、各部材５１は、例えば、よもぎの中に含まれる所定の成分を使用して生成されたクッション性の良い物質（例えば、ウレタンなど）を芯として使用し、その外側を竹布などで覆うように構成されている。尚、図５に示す８つの部材５１−１〜５１−８は、例えば、大きな１枚の布（竹布など）上に８つの部材５１−１〜５１−８を接着することにより、各部材同士を連結させてもよく、また、８つの部材５１−１〜５１−８は、例えば、蝶番により各部材同士を連結させてもよい。
【００３７】
そして、テンポ可変式作動装置５０は、所定のテンポに基づいて、左右それぞれの振動器５２−１及び５２−２を交互に振動させる。尚、振動器５２−１及び５２−２のそれぞれの動作は、交互でなくともよい、すなわち、それぞれ個々に所定の一定のテンポに基づいて振動させてもよい。
【００３８】
そして、コントローラ３０により、振動器５２−１及び５２−２の動作も制御することができるように構成される。
例えば、操作者は、両腕をテンポ可変式作動装置５０にのせ、コントローラ３０により、振動器５２−１及び５２−２が動作するテンポを、毎分１１６回のテンポか毎分５８回のテンポのどちらか一方のテンポに設定する。これより、操作者は、例えば、テンポ可変式作動装置５０を、パソコン使用時の両腕を支えるための腕枕として使用し、振動器５２−１及び５２−２によりマッサージ効果を得ることができる。
【００３９】
また、その足の裏に伝わる上下動作や振動を、例えば、「テンポ１１６」又は「テンポ５８」で行うことが可能となる。
尚、テンポ可変式作動装置５０は、図６（ａ）に示すように、部材５１の内側に、一回り小さい部材６０を８つ設けてもよい。そして、内部に振動器５２−１及び５２−２が備えられ、操作者の両腕のマッサージの効果を得ることが可能となっている。また、内側の部材６０の芯を形成するクッション性の良い物質の中には、桧の削り粉や備長炭の削り粉などが散布される。
【００４０】
また、テンポ可変式作動装置５０は、図６（ｂ）に示すように、断面が三角形とする部材６１を６つで構成し、その部材６１の内部に振動器５２−１及び５２−２が備えられている。そして、その部材６１の芯を形成するクッション性の良い物質の中には、よもぎの所定成分、桧の削り粉、又は備長炭の削り粉などが含まれる構成としている。
【００４１】
また、テンポ可変式作動装置５０は、図６（ｃ）に示すように、断面が三角形とする部材６２を５つで構成し、その部材６２の内部に振動器５２−１及び５２−２が備えられている。そして、その部材６２の芯を形成するクッション性の良い物質の中には、よもぎの所定成分、桧の削り粉、又は備長炭の削り粉などが含まれる構成としている。
【００４２】
また、テンポ可変式作動装置５０は、例えば、椅子の背もたれ部分などに置かれ、腰枕として使用できるように、全体の大きさを変えて構成してもよい。
＜第４の実施形態＞
図７は、本発明の他の実施形態のテンポ可変式作動装置７０を示す図である。
【００４３】
図７（ａ）は、テンポ可変式作動装置７０の斜視図であり、図７（ｂ）は、テンポ可変式作動装置７０を正面から見た図である。
図７（ａ）に示すテンポ可変式作動装置７０は、上記テンポ可変式作動装置５０のように、その内部は、クッション性の良い物質が使用されている。そして、図７（ｂ）に示すように、操作者の足のかかと付近を支えるための足枕として使用する構成となっており、伸縮手段１４として、伸縮器７１−１及び７１−２を備えている。
【００４４】
また、図７（ｃ）のように、テンポ可変式作動装置７０は、振動手段１５として、交互に振動する振動器７２−１及び７２−２を備える構成としてもよい。
そして、テンポ可変式作動装置７０は、所定の一定のテンポに基づいて、左右それぞれの伸縮器７１−１及び７１−２を交互に伸縮させたり、交互に振動させたりする。
【００４５】
そして、コントローラ３０により、伸縮器７１−１及び７１−２や振動器７２−１及び７２−２の動作も制御することができるように構成される。
例えば、操作者は、両足のかかと付近にテンポ可変式作動装置７０がくるように設置し、コントローラ３０により、伸縮器７１−１及び７１−２（又は振動器７２−１及び７２−２）の動作テンポを、毎分１１６回のテンポか毎分５８回のテンポのどちらか一方のテンポに設定する。
【００４６】
また、その足の裏に伝わる動作を、例えば、「テンポ１１６」又は「テンポ５８」で行うことが可能となる。
＜第５の実施形態＞
図８は、本発明の他の実施形態のテンポ可変式作動装置８０及び８１を示す図である。
【００４７】
図８（ａ）は、テンポ可変式作動装置８０及び８１を上方から見た図であり、図８（ｂ）は、テンポ可変式作動装置８０及び８１の斜視図である。
図８（ａ）及び（ｂ）に示すテンポ可変式作動装置８０は、３つ折りの屏風の形（コの字形）に構成され、発生手段１６として、所定のテンポの音又は楽曲を発生させる発音装置（スピーカー）８２と、表示手段１７として、所定のテンポで所定の映像や光を表示させる表示手段８３とを備えて構成される。尚、テンポ可変式作動装置８０は、クロック機能を備え、表示手段１６に時刻を表示させてもよく、更に、所定の時間になると、発音装置８２から所定のテンポの音又は楽曲が流れるように構成してもよい。
【００４８】
これより、テンポ可変式作動装置８０を、所定のテンポで音又は楽曲が発生する機能を有する目覚まし時計などとして使用することができる。
また、図８（ａ）及び（ｂ）に示すテンポ可変式作動装置８１は、枕の形に形成され、伸縮手段１４として、所定のテンポで伸縮する伸縮器（不図示）又は所定のテンポで振動する振動器（不図示）を枕内部に備えて構成されている。
【００４９】
図９は、テンポ可変式作動装置８０及び８１の動作を制御するコントローラ９０を示す図である。
図９に示すコントローラ９０は、テンポ可変式作動装置８０又は８１の電源のオン、オフを切り替えるためのボタン９１と、現在どんな音や楽曲が発音装置８２から流れているかを表示するディスプレイ９２と、ＣＤ（Ｃｏｍｐａｃｔ  Ｄｉｓｃ）を再生するＣＤ再生部９３と、発音装置８２から出る音や楽曲を再生又は停止させるためのボタン９４と、再生される音や楽曲を、早送りしたり巻き戻したりするためのボタン９５と、予めテンポ可変式作動装置８０に記録されている曲（例えば、▲１▼ｓｏｎｇ、▲２▼ｓｏｎｇ、・・・）を選択し、再生させるためのボタン９６と、予めテンポ可変式作動装置８０に記録されている自然音（例えば、▲１▼宇宙、▲２▼銀河、・・・）を選択し、再生させるためのボタン９７と、再生される音や楽曲、及び伸縮器や振動器のテンポを切り替えるためのボタン９８と、空気圧によりテンポ可変式作動装置８１（枕）の高さを調節するためのボタン９９と、目覚めの際に押し、起床用のテンポ（例えば、テンポ１１６）に切り替えるためのボタン１００と、寝る際に押し就寝用のテンポ（例えば、テンポ５８）に切り替えるためのボタン１０１と、１つ前の音や楽曲を再生するためのボタン１０２と、１つ後の音や楽曲を再生するためのボタン１０３と、タイムボタン（Ｔ）を押す度に所定時間毎にカウントし、セットボタン（Ｓ）を押すことによりカウントされた時間、選択された音や楽曲を再生させるためのボタン１０４とを備えて構成されている。尚、ＣＤ再生部９３で再生される楽曲は、不図示のテンポ検出手段により、市販のＣＤのオリジナル曲のテンポが検出され、その検出結果に基づいて、所定のテンポで再生される。
【００５０】
上記ボタン９８は、ボタンが一回押される度に、設定されるテンポが２９ずつ増えていき、予め設定されるテンポを超えるとテンポが２９に戻るように構成される。
そして、例えば、操作者は、コントローラ９０で所定の音や楽曲（例えば、ＣＤ再生部９３で再生される楽曲など）を選択することによって、その選択された音や楽曲を、所定のテンポに基づいて聞くことができる。
【００５１】
また、例えば、操作者は、コントローラ９０で所定のテンポを選択することにより、その選択されたテンポに基づいて伸縮又は振動するテンポ可変式作動装置８１で眠ることができる。
尚、テンポ可変式作動装置８０に所定のテンポで遠赤外線が発生する遠赤外線発生器を備える構成としてもよい。そして、コントローラ９０に遠赤外線発生器のテンポを調整するためのボタンを備えるようにしてもよい。
【００５２】
＜第６の実施形態＞
図１０は、本発明の他の実施形態のテンポ可変式作動装置を示す図である。
図１０（ａ）に示すテンポ可変式作動装置１１０は、操作者の手首などに装着する構成となっており、手首などに装着される部分は、ゴムなどの伸縮自在な素材で作られている。
【００５３】
また、テンポ可変式作動装置１１０は、振動手段１５として、所定のテンポで振動する振動器が備える構成としてもよいし、発生手段１６として、所定のテンポで音や楽曲を発生させる発生器を備える構成としてもよいし、所定のテンポで遠赤外線を発生させる遠赤外線発生器を備える構成としてもよい。
【００５４】
また、テンポ可変式作動装置１１０には、所定のテンポで音や遠赤外線を発生させるためのボタン１１１や、所定のテンポで振動器を動作させるためのボタン１１２や、テンポを選択するためのボタン１１３などを備える構成としてもよい。
【００５５】
例えば、操作者は、手首などにテンポ可変式作動装置１１０を装着し、まず、ボタン１１１を１回押し、そして、ボタン１１３を２回押すことにより、テンポ可変式作動装置１１０から「テンポ５８」に基づく音が発生されるように構成してもよい。これより、例えば、テンポ可変式作動装置１１０を装着して、ゴルフをプレーする場合、例えば、「テンポ１１６」又は「テンポ５８」のテンポに基づいて、スイングなどを行うことができ、良い成績を残すことが可能となる。また、例えば、テンポ可変式作動装置１１０を装着して、歩く場合、テンポ可変式作動装置１１０を装着しないで歩いた場合に比べて、身体の疲労を低減させることができる。
【００５６】
尚、テンポ可変式作動装置１１０は、足首又は腰まわりに装着可能なように構成してもよい。腰まわりに装着可能な構成のテンポ可変式作動装置１１０は、操作者のウエストを引きしめる効果がある。
また、図１０（ｂ）に示すテンポ可変式作動装置１２０は、時計の機能を有するものであり、発生手段１６としては、所定のテンポの音や楽曲を発生させる発生器が備えられる構成となっている。なお、図１０（ｃ）は、テンポ可変式作動装置１２０を横から見た図であり、テンポ可変式作動装置１２０は、設置の際、当該装置を安定させるための設置補助部材１２３を備える。
【００５７】
また、テンポ可変式作動装置１２０には、音や楽曲を発生させる時刻を設定するためのボタン１２１と、テンポを選択するためのボタン１２２とを備えている。
例えば、操作者は、音や楽曲を発生させる時刻を午前８時に設定し、「テンポ５８」を選択することにより、「テンポ５８」に基づいて発生する音や楽曲で目覚めることができる。
【００５８】
尚、上記実施形態では、物理的な刺激源として「振動」、「光」、「音」などを所定のテンポで発生させる構成であるが、その他の物理的な刺激源として低周波治療器などの電気的な刺激を所定のテンポで発生させてもよい。
また、その他の物理的な刺激源として「熱」を所定のテンポで発生させてもよい。
【００５９】
【発明の効果】
以上、本発明によれば、人にとって良いとされている所定のテンポで様々な作業や運動を行うことができ、スポーツや仕事の能率を上げることができ、良い結果を残すことが可能となる。
【図面の簡単な説明】
【図１】本発明のテンポ可変式作動装置の構成を模式的に示す図である。
【図２】本発明の他の実施形態のテンポ可変式作動装置を示す図である。
【図３】テンポの切り替え動作などを制御するためのコントローラを示す図である。
【図４】本発明の他の実施形態のテンポ可変式作動装置を示す図である。
【図５】本発明の他の実施形態のテンポ可変式作動装置を示す図である。
【図６】本発明の他の実施形態のテンポ可変式作動装置を示す図である。
【図７】本発明の他の実施形態のテンポ可変式作動装置を示す図である。
【図８】本発明の他の実施形態のテンポ可変式作動装置を示す図である。
【図９】テンポ可変式作動装置の動作を制御するコントローラを示す図である。
【図１０】本発明の他の実施形態のテンポ可変式作動装置を示す図である。
【符号の説明】
１０  テンポ可変式作動装置
１１  生成手段
１２  選択手段
１３  動作手段
１４  伸縮手段
１５  振動手段
１６  発生手段
１７  表示手段
１８  波動発生手段
１９  流体発生手段
２０  テンポ可変式作動装置
２１−１、２１−２  伸縮器
２１−３  回転軸
３０  コントローラ
３１  表示部
３２〜３６  ボタン
４０  一定テンポ動作手段
４１−１〜４１−３  伸縮器
４２  ベルト
５０  一定テンポ動作手段
５１  部材
５２−１、５２−２  振動器
６０、６１、６２  部材
７０  テンポ可変式作動装置
７１−１、７１−２  伸縮器
７１−３、７１−４  振動器
８０  テンポ可変式作動装置
８１  テンポ可変式作動装置
８２  発音装置
８３  表示手段
９０  コントローラ
９１  ボタン
９２  ディスプレイ
９３  ＣＤ再生部
９４〜１０４  ボタン
１１０  テンポ可変式作動装置
１１１〜１１３  ボタン
１２０  テンポ可変式作動装置
１２１、１２２  ボタン
１２３  設置補助部材
【図１】
2004226797.tif 000003
【図２】
2004226797.tif 000004
【図３】
2004226797.tif 000005
【図４】
2004226797.tif 000006
【図５】
2004226797.tif 000007
【図６】
2004226797.tif 000008
【図７】
2004226797.tif 000009
【図８】
2004226797.tif 000010
【図９】
2004226797.tif 000011
【図１０】
2004226797.tif 000012